【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
生体内に導入されて生体情報を検出するカプセル型医療装置であって、
カプセル形状をなす筐体と、
前記筐体内に設けられた、前記生体情報を取得する生体情報取得手段と、
該生体情報取得手段が取得した生体情報を無線により体外に送信する通信手段と、
前記筐体の軸線方向の一方の端部側に設けられ、前記生体内の生体組織に対して電気を流すための少なくとも一対の電極と、
これら電極に流す電流を制御する電流制御手段と、
前記電極同士の間の距離を可変とする電極間距離可変手段と、
が備えられていることを特徴とするカプセル型医療装置。
【請求項２】
前記電極間距離可変手段によって変化される電極間距離の最大値が、前記筐体の外径の略２倍以上とされていることを特徴とする請求項１に記載のカプセル型医療装置。
【請求項３】
前記電極が、ステンレス、プラチナ、チタンのうちの少なくとも一の材料から構成されていることを特徴とする請求項１又は請求項２に記載のカプセル型医療装置。
【請求項４】
前記筐体の軸線方向の他方の端部側であって前記生体情報取得手段以外の部分に設けられ、前記生体組織に対して電気を流すための少なくとも一対の第２の電極と、
これら第２の電極に流す電流を制御する第２の電流制御手段と、
前記第２の電極同士の間の距離を可変とする第２の電極間距離可変手段と、
が備えられていることを特徴とする請求項１〜３の何れかに記載のカプセル型医療装置。
【請求項５】
前記電極間距離可変手段は、基端側を前記筐体に支持されて該筐体から外方へ向かって突出し、先端側で前記電極を支持する可撓性電線とされていることを特徴とする請求項１〜４の何れかに記載のカプセル型医療装置。
【請求項６】
前記可撓性電線が横幅のある帯状電線とされ、前記電極が前記帯状電線と略同幅の横長電極とされていることを特徴とする請求項５に記載のカプセル型医療装置。
【請求項７】
前記可撓性電線が、前記基端側から先端側の前記電極へと電流を流す導電性線材と、該導電性線材を絶縁被覆する絶縁被覆材とからなり、前記導電性線材と前記絶縁被覆材とのうちの何れかあるいは双方が可撓性及び弾性を有する構成とされていることを特徴とする請求項５又は請求項６に記載のカプセル型医療装置。
【請求項８】
前記可撓性電線が、超弾性合金あるいは超弾性高分子材料のうちの何れかあるいは双方により構成されていることを特徴とする請求項５〜７の何れかに記載のカプセル型医療装置。
【請求項９】
前記可撓性電線の先端側同士を結束し、生体内で溶解する電線結束手段が設けられていることを特徴とする請求項５〜８の何れかに記載のカプセル型医療装置。
【請求項１０】
前記電極間距離可変手段は、前記電極が一体に固定され、前記筐体の外側に該筐体に対して径方向に移動可能に取り付けられた外殻部とされていることを特徴とする請求項１〜４の何れかに記載のカプセル型医療装置。
【請求項１１】
前記電極が、前記筐体の周方向に沿って一対よりも多数設けられるとともに、
前記電流制御手段からの電流を流す電極を前記多数の電極のうちから選択する電極セレクタが備えられていることを特徴とする請求項１〜１０の何れかに記載のカプセル型医療装置。
【請求項１２】
前記電極セレクタは、前記多数の電極のうちから各極毎に複数を任意に選択し、前記生体組織に対して電気を流すための電極の面積を各極毎に変化させる電極面積可変手段とされていることを特徴とする請求項１１に記載のカプセル型医療装置。
【請求項１３】
前記可撓性電線を前記筐体の内部に収納する電線収納部が設けられていることを特徴とする請求項５〜９、請求項１１又は請求項１２の何れかに記載のカプセル型医療装置。
【請求項１４】
前記電線収納部が、前記筐体の外周にわたって形成されている、前記可撓性電線を収納する溝とされていることを特徴とする請求項１３に記載のカプセル型医療装置。
【請求項１５】
前記可撓性電線が、形状記憶材料により構成されているとともに、該可撓性電線の基端側は、前記電線収納部内に回転自在に支持された回転軸に連結されていることを特徴とする請求項１３に記載のカプセル型医療装置。
【請求項１６】
前記電極が生体組織に電気刺激を与える電気刺激手段であることを特徴とする請求項１〜１５のいずれかに記載のカプセル型医療装置。
【手続補正２】
【補正対象書類名】明細書
【補正対象項目名】０００７
【補正方法】変更
【補正の内容】
【０００７】
請求項１に記載の発明は、生体内に導入されて生体情報を検出するカプセル型医療装置であって、カプセル形状をなす筐体と、前記筐体内に設けられた、前記生体情報を取得する生体情報取得手段と、該生体情報取得手段が取得した生体情報を無線により体外に送信する通信手段と、前記筐体の軸線方向の一方の端部側に設けられ、前記生体内の生体組織に対して電気を流すための少なくとも一対の電極と、これら電極に流す電流を制御する電流制御手段と、前記電極同士の間の距離を可変とする電極間距離可変手段と、が備えられていることを特徴とする。
【手続補正３】
【補正対象書類名】明細書
【補正対象項目名】０００８
【補正方法】変更
【補正の内容】
【０００８】
このように、電極間距離可変手段を設けているので、生体組織に電極を的確に接触させて電気を流し、生体組織の収縮動作を的確に行わせることが可能となり、カプセル型医療装置の安定した推進を実現することができる。
【手続補正４】
【補正対象書類名】明細書
【補正対象項目名】００１３
【補正方法】変更
【補正の内容】
【００１３】
請求項４に記載の発明は、請求項１〜３の何れかに記載のカプセル型医療装置であって、前記筐体の軸線方向の他方の端部側であって前記生体情報取得手段以外の部分に設けられ、前記生体組織に対して電気を流すための少なくとも一対の第２の電極と、これら第２の電極に流す電流を制御する第２の電流制御手段と、前記第２の電極同士の間の距離を可変とする第２の電極間距離可変手段と、が備えられていることを特徴とする。
【手続補正５】
【補正対象書類名】明細書
【補正対象項目名】００１４
【補正方法】変更
【補正の内容】
【００１４】
このように、筐体の一方の端部側に設けた電極及び電極可変手段以外に、他方の端部側にも第２の電極及び第２の電極間距離可変手段を設けるようにし、これらに流す電流を互いに独立して制御可能なようにしているので、カプセル型医療装置を生体組織内において任意に前後進させることができる。すなわち、前進させたいときは、筐体の一方の端部側に設けた電極によって生体組織に電気を流し、また逆に後進させたいときは、筐体の他方の端部側に設けた第２の電極によって生体組織に電気を流すようにする。
【手続補正６】
【補正対象書類名】明細書
【補正対象項目名】００２９
【補正方法】変更
【補正の内容】
【００２９】
請求項１２に記載の発明は、請求項１１に記載のカプセル型医療装置であって、前記電極セレクタは、前記多数の電極のうちから各極毎に複数を任意に選択し、前記生体組織に対して電気を流すための電極の面積を各極毎に変化させる電極面積可変手段とされていることを特徴とする。
【手続補正７】
【補正対象書類名】明細書
【補正対象項目名】００３０
【補正方法】変更
【補正の内容】
【００３０】
このように、生体組織に対して電気を流すための電極の面積を各極毎に可変としているので、最適な電極面積を各極毎に確保することができ、所望の電流量を生体組織に対して流し易くすることができる。
【手続補正８】
【補正対象書類名】明細書
【補正対象項目名】００３６
【補正方法】変更
【補正の内容】
【００３６】
このように、形状記憶材料によって可撓性電線を構成するとともに、基端側を回転軸に連結しているので、可撓性電線に形状記憶をさせることで、所定温度以上となった場合に、自動的に電線収納部から可撓性電線を繰り出して、電極を突出させることができる。すなわち、所定温度以下の場合には回転軸に巻いた状態となるように、そして所定温度以上となった場合には略直線状に形状復帰するように形状記憶をさせれば、所定温度以上となった際に自動的に電線収納部から可撓性電線を繰り出すことができる。
請求項１６に記載の発明は、前記電極が生体組織に電気刺激を与える電気刺激手段であることを特徴とする。